(57)【要約】【課題】郵送後に返信用の封筒を作成し得る葉書用シートを提供する。【解決手段】上位、中位、下位シート２，３，４をジグザグ状に折り重ね得るように、上位、中位シート２，３を折り兼切り部５を介して、また中位、下位シート３，４を折り予定部を介してそれぞれ連接し、前記各シート２，３，４の各重ね合わせ予定面は剥離可能な接着面となし、前記中位シート３は、その裏面側に郵便葉書を意味する字句を文字間に含み、全体としては郵便葉書を意味しない文字列と返信先情報記載部を設け、前記上位シート２は、その表面側に往信先情報情報記載部１４を設けるとともに、上位、中位シート２，３を重ね合わせた時に前記文字列のうち葉書表示となる特定文字のみを上位シート２表面側に露出するように複数の透孔７を設け、前記中位、下位シート３、４の表面側には通知情報記載部１４を設け、中位、下位シート３，４の表面側周囲に糊塗布部２１を設ける。【選択図】図１
2008143142.tif 000002
【特許請求の範囲】
【請求項１】
上位シート、中位シート及び下位シートからなり、上位シートと中位シートを折り兼切り部を介して、また中位シートと下位シートを中央の折り予定部を介して、ジグザグ状に折り重ね得るようにそれぞれ連接するとともに、前記上位シート、中位シート及び下位シートの各重ね合わせ予定面は重ね合わせた時に剥離可能に接着し得る、通常では接着せず、所定の条件を付与すると接着可能な剥離性を有する接着剤を塗布してなる接着面となし、前記中位シートは、その裏面側に郵便葉書を意味する葉書表示を構成する字句を文字間に含み、全体としては郵便葉書を意味しない文字列と、返信先情報記載部を設け、前記上位シートは、その表面側に往信先情報記載部を設けるとともに、中位シートの前記文字列のうち前記葉書表示を構成する字句のみが上位シート表面側に露出するように、上位シートと中位シートを重ね合わせた時に前記葉書表示を構成する字句に対応位置する複数の透孔を設け、前記中位シートと下位シートのうち少なくとも一方の各表面側には、回答欄を有する親展通知情報を記載するための通知情報記載部を設けるとともに、中位シートと下位シートの表面側における前記折り予定部を除く３辺に沿って糊塗布部を設けたことを特徴とする葉書用シート。
【発明の詳細な説明】
【技術分野】
【０００１】
本発明は、親展性を有する所定の情報を通知できる重ね合わせ葉書とするための葉書用シートに関し、特に、往信時には、通知情報を被覆隠蔽した親展通知情報として葉書状態で通知できるとともに、返信時には、この通知情報内に設けた回答欄に所定情報を記入して、封書とすることが可能な葉書用シートに関する。なお、本明細書でいう親展通知情報とは、被覆隠蔽した状態で通知される情報を意味する。
【背景技術】
【０００２】
従来、通知情報を通知された宛先人が回答を記入してこれを隠蔽状態で返信するための郵送体としては、返信時に機能する接着剤塗布面を剥離シートで被覆したり、隠蔽用ラベルを別途設けることが一般的である（例えば、特許文献１参照）。
【特許文献１】特開２００４−３３０５３９号公報
【発明の開示】
【発明が解決しようとする課題】
【０００３】
前記従来の往復はがきでは、返信時に別途書面などを郵送することはできないという不便さがあった。
【０００４】
本発明は、上記不便さを解消することを課題とし、該課題を解決した葉書用シートを提供することを目的とする。
【課題を解決するための手段】
【０００５】
上記目的を達成するために、本発明の請求項１に記載した葉書用シートは、上位シート、中位シート及び下位シートからなり、上位シートと中位シートを折り兼切り部を介して、また中位シートと下位シートを中央の折り予定部を介して、ジグザグ状に折り重ね得るようにそれぞれ連接するとともに、前記上位シート、中位シート及び下位シートの各重ね合わせ予定面は重ね合わせた時に剥離可能に接着し得る、通常では接着せず、所定の条件を付与すると接着可能な剥離性を有する接着剤を塗布してなる接着面となし、前記中位シートは、その裏面側に郵便葉書を意味する葉書表示を構成する字句を文字間に含み、全体としては郵便葉書を意味しない文字列と、返信先情報記載部を設け、前記上位シートは、その表面側に往信先情報記載部を設けるとともに、中位シートの前記文字列のうち前記葉書表示を構成する字句のみが上位シート表面側に露出するように、上位シートと中位シートを重ね合わせた時に前記葉書表示を構成する字句に対応位置する複数の透孔を設け、前記中位シートと下位シートのうち少なくとも一方の各表面側には、回答欄を有する親展通知情報を記載するための通知情報記載部を設けるとともに、中位シートと下位シートの表面側における前記折り予定部を除く３辺に沿って糊塗布部を設けたというものである。
【発明の効果】
【０００６】
本発明の請求項１に記載の葉書用シートによれば、往信時には、親展性を有する所定の情報を被覆隠蔽した葉書の状態で通知できるとともに、返信時には、この通知情報内に設けた回答欄に所定情報を記入して返信できるうえ、封書として郵送し得るので、別途書面などを同封でき、さらに、返信封筒の表紙となる中位シートに設けた文字列が郵便葉書を意味するものでないので、返信時にこれを消す必要がなく手間がかからないという効果を奏する。
【発明を実施するための最良の形態】
【０００７】
以下に、本発明の好適な実施形態を添付図面の図１〜図７に基づいて詳細に説明する。ここにおいて、第１図は葉書用シートの基本形を示す平面図、図２は各情報記載部とこの情報記載部に情報を記載した状態を示す葉書用シートの平面図、図３は裏面側に各情報記載部とこの情報記載部に情報を記載した状態を示す葉書用シートの背面図、図４は葉書用シートを折り重ねて接着してなる葉書の平面図、図５は図４のＡ−Ａ線断面図、図６は葉書から形成した返信用封筒の平面図、図７は図６のＢ−Ｂ線断面図である。
【０００８】
図１に示すように、葉書用シート１は、上位シート２、中位シート３及び下位シート４からなり、上位シート２と中位シート３を折り兼切り部たる折り兼切り用ミシン目５を介して、また中位シート３と下位シート４を中央の折り予定部６（図２に一点鎖線で示す）を介して、ジグザグ状に折り重ね（図５参照）得るようにそれぞれ連接し、前記上位シート２には、五つの丸い透孔７を外側縁に沿って等間隔に配設している。また、上位シート２と下位シート４の下隅部には斜めに切断してなる切り欠き部８，９を設ける。図１は葉書用シート１の表面側を示すもので、中位シート３と下位シート４の表面側には、前記折り予定部６を除く周縁に沿って点線枠１０を予め印刷している。なお、図示していないが、葉書用シート１の裏面は白紙状態にある。
【０００９】
図５に示すように、重ね合わせ予定面である前記上位シート２の裏面と、中位シート３及び下位シート４の表面には、通常状態では接着せず所定の圧力をかけると剥離可能に接着する感圧接着剤１１を塗布して接着面とする。この接着剤１１を塗布した重ね合わせ予定面は、印字、印刷が可能である。
【００１０】
上述の感圧接着剤１１は、一般的な感圧性接着剤をベースとしてこれに対して非親和性を有する微粒状充填剤を添加して得ることができ、より具体的には、例えば天然ゴム１００重量部に対して、スチレン２〜８重量部と、メタクリル酸メチル１０〜１６重量部とをグラフト共重合して得られた天然ゴムラテックスに、テルペン樹脂系粘着付与剤２〜１０重量部を添加してなる感圧性接着剤をベースとし、この感圧性接着剤に平均粒径１〜３０μｍの酸化チタン、小麦澱粉、シリカ等から選択した一種あるいは複数種からなる微粒状充填剤を１５０〜２５０重量部添加すると好適である。
【００１１】
図２及び図３に示すように、中位シート３は、その裏面側に、郵便葉書を意味する葉書表示を構成する字句である「郵」、「便」、「は」、「が」、「き」という五文字を文字間に含み、全体としては郵便葉書を意味しない「郵送便利はっ送できる」という文字列１２ａを記載するための文字列記載部１２を設けるとともに、返信先宛名１３ａを記載するための返信先情報記載部１３をほぼ中央に設ける。前記上位シート２の五つの透孔７は、上位シート２と中位シート３を重ね合わせた時に、中位シート３の前記文字列１２ａのうち葉書表示を構成する字句となる「郵」、「便」、「は」、「が」、「き」のみを上位シート２表面側に露出するように対応位置させている。また、前記上位シート２は、その表面側（図１及び図２に示す面側）に往信先宛名１４ａを記載するための往信先情報記載部１４を設け、前記中位シート３と下位シート４の各表面側には親展通知情報を記載するための通知情報記載部１５を前記点線枠１０の内側に設ける。この親展通知情報は、中位シート３側の、「カード申込のお知らせ」なる表題１６と、この下のカード申込に際してのお知らせ文１７と、下位カード４側の、「申込書」なる表題１８と、この下の申し込みを希望する旨の申込文１９と、返信時に記入する回答欄たる申込人の住所氏名を記入するための住所氏名欄２０とからなる。前記折り予定部６を除く３辺に沿った前記点線枠１０外側の部分は、後述する返信用封筒（図６及び図７参照）となす際の糊塗布部たる糊代２１となし、ここに「のりしろ」なる４文字の糊代表示２２ａを記載するための糊代表示記載部２２を設ける。
【００１２】
また、上位シート２の表面側と下位シート４の裏面側には、その下端縁に沿って、「ＯＰＥＮ」という文と切り欠き部８，９に向けた矢印とからなる剥離開始端指示表示２３ａ，２４ａを記載するための剥離開始端指示記載部２３，２４を設け、下位シート４の裏面には、後述する返信用封筒の作成方法などの説明文２５ａを記載するための説明文記載部２５を設けている。
【００１３】
次に、以上のように構成した本実施形態の葉書用シート１から図４及び図５に示す葉書２７を作成する手順を、図１〜図５を参照しながら説明する。まず、葉書シート１の表面側においては、図１及び図２に示すように、上位シート２の往信先情報記載部１４に送信先宛名１４ａを、また剥離開始端指示表示記載部２３に剥離開始端指示表示２３ａをそれぞれ印字し、中位シート３の通知情報記載部１５には、親展通知情報たる表題１６とお知らせ文１７を印字する一方、下位シート４の通知情報記載部１５には、表題１８と申込文１９と住所氏名欄２０と糊代表示２２ａを印字する。また、葉書シート１の裏面側においては、図３に示すように、中位シート３の文字列記載部１２に文字列１２ａを、また返信先情報記載部１３に返信先宛名１３ａをそれぞれ印字する一方、下位シート４の説明文記載部２５に説明文２５ａを、また剥離開始端指示表示記載部２４に剥離開始端指示表示２５ａをそれぞれ印字する。
【００１４】
必要な印字が終了した後は、折り兼切り用ミシン目５と折り予定部６で宛名情報１４ａが露出するようにジグザグ状に三つ折りし（図５参照）、適宜な圧を加えて上位シート２、中位シート３、下位シート４の各重ね合わせ接着面を接着することによって葉書２７となす。この葉書２７は、その上位シート２の五つの各透孔７から「郵」、「送」、「は」、「が」、「き」という五文字が露出するので、「郵送はがき」という葉書表示を視認できる。そして、この葉書２６は通常の葉書と同様に郵送可能である。
【００１５】
この葉書２６を受領した往信先宛名人は、各剥離開始端指示表示２３ａ，２４ａにしたがい、上位シート２と下位シート４を中位シート３から順次捲り上げて展開して、隠蔽されていた、表面側の表題１６、お知らせ文１７、表題１８及び申込文１９と裏面側の説明文２６ａを視認することができる。
【００１６】
往信先宛名人がカード申込を行うには、折り兼切り用ミシン目５を切断して上位シート２を切り離し、回答欄である住所氏名欄２０に住所と氏名２０ａを記載した後、中位シート３と下位シート４を、それらの糊代２１に糊２７を塗付してから、折り予定部６で折って重ね合わせて封緘し封筒２８を作成する（図７参照）。必要ならば、封緘する前に別途メッセージなどを記載した紙片（図示せず）を封入しておく。この封筒２８の表紙となる中位シート３には、「郵送便利はっ送できる」という文字列１２ａが存在するが、この文字列は郵便葉書自体を意味するものではないので、この封筒２８は通常の封筒と同様に郵送可能である。
【００１７】
なお、本発明は上述した実施形態に限られるものではなく、例えば、剥離可能に接着する感圧接着剤１１は、感圧性のものに代えて、熱の付与を接着条件とする感熱性の接着剤を用いてもよい。また、葉書表示は「郵便はがき」のほか、郵便葉書を意味する字句であればよく、「ＰＯＳＴ  ＣＡＲＤ」のような英文字による表示でもよいものである。この場合、中位シート３裏面に記載する文字列１２ａは、例えば、「ＰＯＬＳＭＴ  ＣＮＡＯＲＰＤ」などとすればよい。またさらに、中位シート３と下位シート４の両方に通知情報記載部１５を設けるのではなくどちらか一方のみに設けてもよいほか、この通知情報記載部１５に記載する親展通知情報１６〜２０は、秘匿性を有する情報に限定されない。
【図面の簡単な説明】
【００１８】
【図１】葉書用シートの基本形を示す平面図。
【図２】各情報記載部とこの情報記載部に情報を記載した状態を示す葉書用シートの平面図。
【図３】裏面側に各情報記載部とこの情報記載部に情報を記載した状態を示す葉書用シートの背面図。
【図４】葉書用シートを折り重ねて接着してなる葉書の平面図。
【図５】図４のＡ−Ａ線断面図。
【図６】葉書から形成した返信用封筒の平面図。
【図７】図６のＢ−Ｂ線断面図
【符号の説明】
【００１９】
１    葉書用シート
２    上位シート
３    中位シート
４    下位シート
５    折り兼切り部
６    折り予定部
７    透孔
８    切り欠き部
９    切り欠き部
１０    点線枠
１１    感圧接着剤
１２    文字列記載部
１２ａ    文字列
１３    返信先情報記載部
１３ａ    返信先宛名
１４    往信先情報記載部
１４ａ    往信先宛名
１５    通知情報記載部
１６    表題
１７    お知らせ文
１８    表題
１９    申込文
２０    住所氏名欄
２１    糊代
２２    糊代表示記載部
２２ａ    糊代表示
２３    剥離開始端指示表示記載部
２３ａ    剥離開示端指示表示
２４    剥離開始端指示表示記載部
２４ａ    剥離開示端指示表示
２５    説明文記載部
２５ａ    説明文
２６    葉書
２７    糊
２８    封筒
【図１】
2008143142.tif 000003
【図２】
2008143142.tif 000004
【図３】
2008143142.tif 000005
【図４】
2008143142.tif 000006
【図５】
2008143142.tif 000007
【図６】
2008143142.tif 000008
【図７】
2008143142.tif 000009